(57)【要約】【課題】手書きした紙面をスキャナ等の画像入力装置で入力するだけで手書きコンテンツをＷｅｂページへ追加して公開することができる画像処理システム、画像印刷装置、画像入力装置、Ｗｅｂサーバ装置、画像印刷方法、画像入力方法、印刷情報送信方法、Ｗｅｂ登録方法、プログラム、及び記録媒体を提供する。【解決手段】Ｗｅｂページ上に手書き画像を登録する空白領域を簡易に作成でき、印刷時にユーザが手書きしやすいようにレイアウトを変更して印刷できるので、手書きした紙面をスキャナ等の画像入力装置で入力するだけで手書きコンテンツをＷｅｂページへ追加して公開することができる。【選択図】図１
2008099202.tif 000002
【特許請求の範囲】
【請求項１】
登録した画像情報を表示するための空白領域を検出する空白領域検出手段、空白領域以外のＷｅｂコンテンツ領域を検出するＷｅｂコンテンツ領域検出手段、前記空白領域検出手段と前記Ｗｅｂコンテンツ領域検出手段とで検出された各領域にある画像情報のサイズ・配置位置を印刷状況によって変更する配置位置変更手段、及び前記配置位置変更手段で変更された空白領域の配置位置を検出して、前記配置位置変更手段で変更された画像情報と共に前記空白領域の配置位置情報と前記ＷｅｂコンテンツのURL情報とを印刷する印刷手段を有する画像印刷装置と、
前記電子データ化されていない情報を入力する画像入力手段、前記画像入力手段で入力した画像情報から空白領域の配置位置情報とＷｅｂコンテンツのURL情報とを検出する情報検出手段、前記情報検出手段で検出した空白領域の画像情報を領域分割する画像領域分割手段、及び前記画像領域分割手段で分割した画像情報を前記情報検出手段で検出したＷｅｂコンテンツのURL情報先にあるＷｅｂサーバへ送信する送信手段とを有する画像入力装置と、
前記電子データ化されていない情報を表示するための空白領域を作成する空白領域作成手段、前記空白領域作成手段で作成した空白領域のサイズを決定する空白領域サイズ決定手段、及び前記空白領域サイズ決定手段で決定された空白領域情報とＷｅｂページの画像情報とを画像印刷装置へ送信する画像情報送信手段とを有するＷｅｂサーバ装置とを備えたことを特徴とする画像処理システム。
【請求項２】
登録した画像情報を表示するための空白領域を検出する空白領域検出手段、空白領域以外のＷｅｂコンテンツ領域を検出するＷｅｂコンテンツ領域検出手段、前記空白領域検出手段と前記Ｗｅｂコンテンツ領域検出手段とで検出された各領域にある画像情報のサイズ・配置位置を印刷状況によって変更する配置位置変更手段、及び前記配置位置変更手段で変更された空白領域の配置位置を検出して、前記配置位置変更手段で変更された画像情報と共に前記空白領域の配置位置情報と前記ＷｅｂコンテンツのURL情報とを印刷する印刷手段を有する画像印刷装置と、
前記電子データ化されていない情報を入力する画像入力手段、前記画像入力手段で入力した画像情報から空白領域の配置位置情報とＷｅｂコンテンツのURL情報とを検出する情報検出手段、前記情報検出手段で検出した空白領域の画像情報を領域分割する画像領域分割手段、及び前記画像領域分割手段で分割した画像情報を前記情報検出手段で検出したＷｅｂコンテンツのURL情報先にあるＷｅｂサーバへ送信する送信手段とを有する画像入力装置と、
画像入力装置から送信された画像情報を受信する受信手段、及び前記受信手段で受信した画像情報をＷｅｂページ内にある空白領域へ表示するように登録する画像情報登録手段を有するＷｅｂサーバ装置とを備えたことを特徴とする画像処理システム。
【請求項３】
請求項２に記載の画像印刷装置の配置位置変更手段は、ユーザが手書きするための空白領域を複数ページに渡って分割して印刷されないように空白領域のサイズ・配置位置を変更することを特徴とする画像処理システム。
【請求項４】
請求項２に記載のＷｅｂサーバ装置は、ユーザ情報を表示するユーザ情報表示手段を有し、前記ユーザ情報表示手段は空白領域にＷｅｂページを印刷したユーザ情報を表示することを特徴とする画像処理システム。
【請求項５】
請求項２に記載のＷｅｂサーバ装置は、ユーザ情報を設定するユーザ情報設定手段と、画像情報を登録する期日を設定する期日設定手段と、前記期日設定手段で設定した期日をユーザへ通知する期日通知手段とを有することを特徴とする画像処理システム。
【請求項６】
画像処理システムに用いられ電子データ化されていない情報をＷｅｂページへ登録する際に利用する画像印刷装置であって、
登録した画像情報を表示するための空白領域を検出する空白領域検出手段と、
空白領域以外のＷｅｂコンテンツ領域を検出するＷｅｂコンテンツ領域検出手段と、
前記空白領域検出手段と前記Ｗｅｂコンテンツ領域検出手段とで検出された各領域にある画像情報のサイズ・配置位置を印刷状況によって変更する配置位置変更手段と、
前記配置位置変更手段で変更された空白領域の配置位置を検出して、前記配置位置変更手段で変更された画像情報と共に前記空白領域の配置位置情報と前記ＷｅｂコンテンツのURL情報とを印刷する印刷手段とを有することを特徴とする画像印刷装置。
【請求項７】
画像処理システムに用いられ電子データ化されていない情報をＷｅｂページへ登録する際に利用する画像入力装置であって、
前記電子データ化されていない情報を入力する画像入力手段と、
前記画像入力手段で入力した画像情報から空白領域の配置位置情報とＷｅｂコンテンツのURL情報とを検出する情報検出手段と、
前記情報検出手段で検出した空白領域の画像情報を領域分割する画像領域分割手段と、
前記画像領域分割手段で分割した画像情報を前記情報検出手段で検出したＷｅｂコンテンツのURL情報先にあるＷｅｂサーバへ送信する送信手段とを有することを特徴とする画像入力装置。
【請求項８】
画像処理システムに用いられ電子データ化されていない情報をＷｅｂページへ登録する際に利用するＷｅｂサーバであって、
前記電子データ化されていない情報を表示するための空白領域を作成する空白領域作成手段と、
前記空白領域作成手段で作成した空白領域のサイズを決定する空白領域サイズ決定手段と、
前記空白領域サイズ決定手段で決定された空白領域情報とＷｅｂページの画像情報とを画像印刷装置へ送信する画像情報送信手段とを有することを特徴とするＷｅｂサーバ装置。
【請求項９】
画像処理システムに用いられ電子データ化されていない情報をＷｅｂページへ登録する際に利用するＷｅｂサーバであって、
画像入力装置から送信された画像情報を受信する受信手段と、
前記受信手段で受信した画像情報をＷｅｂページ内にある空白領域へ表示するように登録する画像情報登録手段とを有することを特徴とするＷｅｂサーバ装置。
【請求項１０】
請求項６に記載の画像印刷装置の配置位置変更手段は、ユーザが手書きするための空白領域を複数ページに渡って分割して印刷されないように空白領域のサイズ・配置位置を変更することを特徴とする画像印刷装置。
【請求項１１】
請求項８に記載のＷｅｂサーバ装置は、ユーザ情報を表示するユーザ情報表示手段を有し、前記ユーザ情報表示手段は空白領域にＷｅｂページを印刷したユーザ情報を表示することを特徴とするＷｅｂサーバ装置。
【請求項１２】
請求項８に記載のＷｅｂサーバ装置は、ユーザ情報を設定するユーザ情報設定手段と、画像情報を登録する期日を設定する期日設定手段と、前記期日設定手段で設定した期日をユーザへ通知する期日通知手段とを有することを特徴とするＷｅｂサーバ装置。
【請求項１３】
画像処理システムに用いられる画像印刷装置における登録した画像情報を表示するための空白領域を検出する空白領域検出ステップと、
前記空白領域以外のＷｅｂコンテンツ領域を検出するＷｅｂコンテンツ領域検出ステップと、
前記空白領域検出ステップとＷｅｂコンテンツ領域検出ステップで検出された各領域にある画像情報のサイズ・配置位置とを印刷状況によって変更する配置位置変更ステップと、
前記配置位置変更手段で変更された空白領域の配置位置を検出して、前記配置位置変更ステップで変更された画像情報と共に空白領域の配置位置情報とＷｅｂコンテンツのURL情報とを印刷する印刷ステップとを有することを特徴とする画像印刷方法。
【請求項１４】
画像処理システムに用いられる画像入力装置における電子データ化されていない情報を入力する画像入力ステップと、
前記画像入力手段で入力した画像情報から空白領域の配置位置情報とＷｅｂコンテンツのURL情報とを検出する情報検出ステップと、
前記情報検出手段で検出した空白領域の画像情報を領域分割する画像領域分割ステップと、
前記画像領域分割手段で分割した画像情報を前記情報検出手段で検出したＷｅｂコンテンツのURL情報先にあるＷｅｂサーバへ送信する送信ステップとを有することを特徴とする画像入力方法。
【請求項１５】
画像処理システムに用いられるＷｅｂサーバ装置における電子データ化されていない情報を表示するための  空白領域を作成する空白領域作成ステップと、
前記空白領域作成手段で作成した空白領域のサイズを決定する空白領域サイズ決定ステップと、
前記空白領域サイズ決定手段で決定された空白領域情報とＷｅｂページの画像情報とを画像印刷装置へ送信  する画像情報送信ステップとを有することを特徴とする印刷情報送信方法。
【請求項１６】
画像処理システムに用いられるＷｅｂサーバ装置における画像入力装置から送信された画像情報を受信する  受信ステップと、
前記受信手段で受信した画像情報をＷｅｂページ内にある空白領域へ表示するように登録する画像情報登録  ステップとを有することを特徴とする画像処理システムに用いられるＷｅｂ登録方法。
【請求項１７】
画像処理システムに用いられ電子データ化されていない情報をＷｅｂページへ登録する処理をＷｅｂサーバ  装置に実施させるプログラムであって、
前記Ｗｅｂサーバ装置に、登録した画像情報を表示するための空白領域を検出する空白領域検出処理と、
空白領域以外のＷｅｂコンテンツ領域を検出するＷｅｂコンテンツ領域検出処理と、
前記空白領域検出処理と前記Ｗｅｂコンテンツ領域検出処理とで検出された各領域にある画像情報のサイズ・配置位置を印刷状況によって変更する配置位置変更処理と、
前記配置位置変更処理で変更された空白領域の配置位置を検出して、前記配置位置変更処理で変更された画像情報と共に前記空白領域の配置位置情報と前記ＷｅｂコンテンツのURL情報とを印刷する印刷処理とを実施させることを特徴とするプログラム。
【請求項１８】
画像処理システムに用いられ電子データ化されていない情報をＷｅｂページへ登録する際に利用する処理をＷｅｂサーバ装置に実施させるプログラムであって、
前記Ｗｅｂサーバ装置に、電子データ化されていない情報を入力する画像入力処理と、
前記画像入力処理で入力した画像情報から空白領域の配置位置情報とＷｅｂコンテンツのURL情報とを検出する情報検出処理と、
前記情報検出処理で検出した空白領域の画像情報を領域分割する画像領域分割処理と、
前記画像領域分割処理で分割した画像情報を前記情報検出処理で検出したＷｅｂコンテンツのURL情報先にあるＷｅｂサーバへ送信する送信処理とを実施させることを特徴とするプログラム。
【請求項１９】
画像処理システムに用いられ電子データ化されていない情報をＷｅｂページへ登録する処理をＷｅｂサーバ装置に実施させるプログラムであって、
前記Ｗｅｂサーバ装置に、電子データ化されていない情報を表示するための空白領域を作成する空白領域作成処理と、
前記空白領域作成処理で作成した空白領域のサイズを決定する空白領域サイズ決定処理と、
前記空白領域サイズ決定処理で決定された空白領域情報とＷｅｂページの画像情報とを画像印刷装置へ送信する画像情報送信処理とを実施させることを特徴とするプログラム。
【請求項２０】
画像処理システムに用いられ電子データ化されていない情報をＷｅｂページへ登録する処理をＷｅｂサーバ装置に実施させるプログラムであって、
前記Ｗｅｂサーバ装置に、画像入力装置から送信された画像情報を受信する受信処理と、
前記受信処理で受信した画像情報をＷｅｂページ内にある空白領域へ表示するように登録する画像情報登録処理とを実施させることを特徴とするプログラム。
【請求項２１】
請求項１７に記載のプログラムの配置位置変更処理は、ユーザが手書きするための空白領域を複数ページに渡って分割して印刷されないように空白領域のサイズ・配置位置を変更する処理であることを特徴とするプログラム。
【請求項２２】
請求項１９に記載のプログラムは、ユーザ情報を表示するユーザ情報表示処理を有し、前記ユーザ情報表示処理は空白領域にＷｅｂページを印刷したユーザ情報を表示する処理を有することを特徴とするプログラム。
【請求項２３】
請求項１９に記載のプログラムは、ユーザ情報を設定するユーザ情報設定処理と、画像情報を登録する期日を設定する期日設定処理と、前記期日設定処理で設定した期日をユーザへ通知する期日通知処理とを有することを特徴とするプログラム。
【請求項２４】
請求項１７から２３の何れか１項に記載のプログラムを記録したことを特徴とする記録媒体。
【発明の詳細な説明】
【技術分野】
【０００１】
本発明は、画像処理システム、画像印刷装置、画像入力装置、Ｗｅｂサーバ装置、画像印刷方法、画像入力方法、印刷情報送信方法、Ｗｅｂ登録方法、プログラム、及び記録媒体に関する。
【背景技術】
【０００２】
近年、Wikipedia（Wikiともいう）やWeblogなどのCMS（コンテンツマネジメントシステム）の普及により、HTMLなどの知識が無いユーザであっても指定された空欄に文字入力を行うだけでレイアウト処理されたHTML文書を簡易に作成・編集してＷｅｂ上に公開できるようになった。
これより、多くのユーザがHTML文書を作成するようになったため、Ｗｅｂに公開されるＷｅｂページの量は増加している。
【０００３】
CMSによりユーザの文字入力結果からＷｅｂページを作成・編集することは簡易になったが、ユーザが紙面等に手書きした図や絵などのコンテンツからＷｅｂページを作成・編集する際の作業は煩雑であるため、手書きコンテンツを持つＷｅｂページの量はあまり増加していない。
【０００４】
一般にＷｅｂページに手書きコンテンツを表示させる際の作業では、始めに手書きした紙面をスキャナ等の画像入力機器で入力してデジタル化した画像ファイルを作成し、次に作成した画像ファイルに公開されたＷｅｂページとリンクしたファイル名を付ける。最後に画像ファイルをＷｅｂページとして公開するための特定フォルダへ移動させる、一連の作業が必要となる。
【０００５】
また、Ｗｅｂページ上に手書きコンテンツを表示する位置を示すレイアウト情報をＷｅｂページ上に記載する作業も必要となる。このため、HTMLなどの知識が無いユーザは、文字入力結果からＷｅｂページを作成・編集できても、手書きの図や絵などのコンテンツを追加したＷｅｂページを作成・編集することは困難となっていた。上記の課題を解決するために、従来技術として紙文書をスキャナ等の画像入力機器で入力した画像情報からHTML文書に変換してＷｅｂ上に公開する技術が公開されている。
【０００６】
また、特許文献１には、複数ページに亘るＷｅｂコンテンツを印刷する際に、印刷時のレイアウトを変更することで印刷用紙の余白部分を低減させて出力用紙を節約するように効率良く印刷することが提案されている（段落「0005」〜「0007」には上記発明の目的に関して記載されている。また、段落「0066」には印刷時のレイアウトの変更例が記載されている。）。
【０００７】
また、特許文献２には、XHTML文書などの構造化文書を木構造に解析して、複数要素ブロックの出現順番に依存せずに、所定の順序で要素ブロックを配置することで、構造化文書の印刷時の負担を軽減することが提案されている（段落「0007」には上記発明の目的が記載されている。また、段落「0008」〜「0013」には上記発明の概要が記載されている。）。
【０００８】
また、特許文献３には、複写機等の画像入力機器で紙などに記載された画像情報を入力することで、紙に記載された画像情報をHTML文書に変換してＷｅｂサーバへ登録することが提案されている（段落「0009」〜「0010」には上記発明の目的が記載されている。また、段落「0011」〜「0027」には上記発明の概要が記載されている。）。
【０００９】
また、特許文献４には、複写機等の画像入力機器で紙などに記載された画像情報を入力して、画像情報から文字領域と画像領域の領域分割処理を実行して、分割した領域ごとにHTML文書に変換してＷｅｂサーバへ登録することが提案されている（段落「0004」には上記発明の目的が記載されている。段落「0005」には上記発明の概要が記載されている。段落「0014」〜「0021」には領域分割処理・文字認識・文字コード化処理に関して記載されている。）。
【特許文献１】特開２００６−８５３７６号公報
【特許文献２】特開２００５−３４６２５６号公報
【特許文献３】特開２００５−３１８６５４号公報
【特許文献４】特開平９−２２３２４０号公報
【発明の開示】
【発明が解決しようとする課題】
【００１０】
しかし上述した従来の技術では、画像情報から文字領域と画像領域の領域分離する際や文字領域にある文字情報を認識する際などに誤認識する可能性があること、ユーザの文字入力などから作成されたＷｅｂページに新たな手書きコンテンツを追加してＷｅｂページとして統合する方法が無いことが問題となっており、従来技術が活用される機会は少ない。また、Ｗｅｂページに手書きコンテンツを表示するための空白領域を指定した後にＷｅｂページを印刷する際に、ユーザが手書きする空白領域が紙面の２ページに亘って印刷され、空白領域が分割されて手書き入力が困難になることも問題点として挙げられる。
【００１１】
特許文献１記載の技術では、印刷時のレイアウトを変更することで印刷用紙の余白部分を低減させて出力用紙を節約することはできるが、画像入力機器を利用して紙に記載された画像情報を入力することを考慮していないため、ユーザが紙に記載した画像情報をＷｅｂページへ登録表示できないことが問題点として挙げられる。
【００１２】
特許文献２記載の技術では、構造化文書を木構造に解析して所定の順序で要素ブロックを配置することで印刷時の負担は軽減できるが、画像入力機器を利用して紙に記載された画像情報を入力することを考慮していないため、ユーザが紙に記載した画像情報をＷｅｂページへ登録表示できないことが問題点として挙げられる。
【００１３】
特許文献３記載の技術では、画像入力機器で紙の画像情報を入力してHTML文書に変換する技術が開示されているが、紙の画像情報から文字部分を認識してHTML文書に変換する際に誤りが発生し、紙に記載された文字部分を完全にHTML文書へ変換できないことが問題点として挙げられる。また、予めＷｅｂページに表示されているＷｅｂコンテンツと紙に記載された画像情報を統合してＷｅｂページを編集することを考慮していないために、紙に記載された画像情報をＷｅｂページに追加することができないことが問題点として挙げられる。
【００１４】
特許文献４記載の技術では、画像入力機器で紙の画像情報を入力して画像情報から文字領域と画像領域の領域分割処理を実行しHTML文書に変換する技術が開示されているが、文字領域と画像領域の領域分割処理を実行する際に誤りが発生する可能性があることや、紙の画像情報から文字部分を認識してHTML文書に変換する際に誤りが発生し、紙に記載された文字部分を完全にHTML文書へ変換できないことが問題点として挙げられる。また、予めＷｅｂページに表示されているＷｅｂコンテンツと紙に記載された画像情報を統合してＷｅｂページを編集することを考慮していないために、紙に記載された画像情報をＷｅｂページに追加することができないことが問題点として挙げられる。
【００１５】
以上の問題点を鑑みて、Ｗｅｂページ上に手書き画像を貼り付ける空白領域を簡易に作成でき、印刷時にユーザが手書きしやすいようにレイアウトを変更して印刷する画像印刷機器を提供することが必要である。
そこで、本発明の目的は、手書きした紙面をスキャナ等の画像入力装置で入力するだけで手書きコンテンツをＷｅｂページへ追加して公開することができる画像処理システム、画像印刷装置、画像入力装置、Ｗｅｂサーバ装置、画像印刷方法、画像入力方法、印刷情報送信方法、Ｗｅｂ登録方法、プログラム、及び記録媒体を提供することにある。
【課題を解決するための手段】
【００１６】
上記課題を解決するために、請求項１記載の発明は、登録した画像情報を表示するための空白領域を検出する空白領域検出手段、空白領域以外のＷｅｂコンテンツ領域を検出するＷｅｂコンテンツ領域検出手段、前記空白領域検出手段と前記Ｗｅｂコンテンツ領域検出手段とで検出された各領域にある画像情報のサイズ・配置位置を印刷状況によって変更する配置位置変更手段、及び前記配置位置変更手段で変更された空白領域の配置位置を検出して、前記配置位置変更手段で変更された画像情報と共に前記空白領域の配置位置情報と前記ＷｅｂコンテンツのURL情報とを印刷する印刷手段を有する画像印刷装置と、前記電子データ化されていない情報を入力する画像入力手段、前記画像入力手段で入力した画像情報から空白領域の配置位置情報とＷｅｂコンテンツのURL情報とを検出する情報検出手段、前記情報検出手段で検出した空白領域の画像情報を領域分割する画像領域分割手段、及び前記画像領域分割手段で分割した画像情報を前記情報検出手段で検出したＷｅｂコンテンツのURL情報先にあるＷｅｂサーバへ送信する送信手段とを有する画像入力装置と、前記電子データ化されていない情報を表示するための空白領域を作成する空白領域作成手段、前記空白領域作成手段で作成した空白領域のサイズを決定する空白領域サイズ決定手段、及び前記空白領域サイズ決定手段で決定された空白領域情報とＷｅｂページの画像情報とを画像印刷装置へ送信する画像情報送信手段とを有するＷｅｂサーバ装置とを備えたことを特徴とする。
【００１７】
請求項１記載の発明によれば、Ｗｅｂページ上に手書き画像を登録する空白領域を簡易に作成でき、印刷時にユーザが手書きしやすいようにレイアウトを変更して印刷する画像印刷機器を提供できるため、手書きした紙面をスキャナ等の画像入力装置で入力するだけで手書きコンテンツをＷｅｂページへ追加して公開することができる。
【００１８】
請求項２記載の発明は、登録した画像情報を表示するための空白領域を検出する空白領域検出手段、空白領域以外のＷｅｂコンテンツ領域を検出するＷｅｂコンテンツ領域検出手段、前記空白領域検出手段と前記Ｗｅｂコンテンツ領域検出手段とで検出された各領域にある画像情報のサイズ・配置位置を印刷状況によって変更する配置位置変更手段、及び前記配置位置変更手段で変更された空白領域の配置位置を検出して、前記配置位置変更手段で変更された画像情報と共に前記空白領域の配置位置情報と前記ＷｅｂコンテンツのURL情報とを印刷する印刷手段を有する画像印刷装置と、前記電子データ化されていない情報を入力する画像入力手段、前記画像入力手段で入力した画像情報から空白領域の配置位置情報とＷｅｂコンテンツのURL情報とを検出する情報検出手段、前記情報検出手段で検出した空白領域の画像情報を領域分割する画像領域分割手段、及び前記画像領域分割手段で分割した画像情報を前記情報検出手段で検出したＷｅｂコンテンツのURL情報先にあるＷｅｂサーバへ送信する送信手段とを有する画像入力装置と、画像入力装置から送信された画像情報を受信する受信手段、及び前記受信手段で受信した画像情報をＷｅｂページ内にある空白領域へ表示するように登録する画像情報登録手段を有するＷｅｂサーバ装置とを備えたことを特徴とする。
【００１９】
請求項２記載の発明によれば、Ｗｅｂページ上に手書き画像を登録する空白領域を簡易に作成でき、印刷時にユーザが手書きしやすいようにレイアウトを変更して印刷する画像印刷機器を提供できるため、手書きした紙面をスキャナ等の画像入力装置で入力するだけで手書きコンテンツをＷｅｂページへ追加して公開することができる。
【００２０】
請求項３記載の発明は、請求項２に記載の発明において、配置位置変更手段は、ユーザが手書きするための空白領域を複数ページに渡って分割して印刷されないように空白領域のサイズ・配置位置を変更することを特徴とする。
【００２１】
請求項３記載の発明によれば、Ｗｅｂページ上に手書き画像を登録する空白領域を簡易に作成でき、印刷時にユーザが手書きしやすいようにレイアウトを変更して印刷する画像印刷機器を提供できるため、手書きした紙面をスキャナ等の画像入力装置で入力するだけで手書きコンテンツをＷｅｂページへ追加して公開することができる。
【００２２】
請求項４記載の発明は、請求項２に記載の発明において、ユーザ情報を表示するユーザ情報表示手段を有し、前記ユーザ情報表示手段は空白領域にＷｅｂページを印刷したユーザ情報を表示することを特徴とする。
【００２３】
請求項４記載の発明によれば、Ｗｅｂページ上に手書き画像を登録する空白領域を簡易に作成でき、印刷時にユーザが手書きしやすいようにレイアウトを変更して印刷する画像印刷機器を提供できるため、手書きした紙面をスキャナ等の画像入力装置で入力するだけで手書きコンテンツをＷｅｂページへ追加して公開することができる。
【００２４】
請求項５記載の発明は、請求項２に記載の発明において、ユーザ情報を設定するユーザ情報設定手段と、画像情報を登録する期日を設定する期日設定手段と、前記期日設定手段で設定した期日をユーザへ通知する期日通知手段とを有することを特徴とする。
【００２５】
請求項５記載の発明によれば、Ｗｅｂページ上に手書き画像を登録する空白領域を簡易に作成でき、印刷時にユーザが手書きしやすいようにレイアウトを変更して印刷する画像印刷機器を提供できるため、手書きした紙面をスキャナ等の画像入力装置で入力するだけで手書きコンテンツをＷｅｂページへ追加して公開することができる。
【００２６】
請求項６記載の発明は、画像処理システムに用いられ電子データ化されていない情報をＷｅｂページへ登録する際に利用する画像印刷装置であって、登録した画像情報を表示するための空白領域を検出する空白領域検出手段と、空白領域以外のＷｅｂコンテンツ領域を検出するＷｅｂコンテンツ領域検出手段と、前記空白領域検出手段と前記Ｗｅｂコンテンツ領域検出手段とで検出された各領域にある画像情報のサイズ・配置位置を印刷状況によって変更する配置位置変更手段と、前記配置位置変更手段で変更された空白領域の配置位置を検出して、前記配置位置変更手段で変更された画像情報と共に前記空白領域の配置位置情報と前記ＷｅｂコンテンツのURL情報とを印刷する印刷手段とを有することを特徴とする。
【００２７】
請求項６記載の発明によれば、Ｗｅｂページ上に手書き画像を登録する空白領域を簡易に作成でき、印刷時にユーザが手書きしやすいようにレイアウトを変更して印刷する画像印刷機器を提供できるため、手書きした紙面をスキャナ等の画像入力装置で入力するだけで手書きコンテンツをＷｅｂページへ追加して公開することができる。
【００２８】
請求項７記載の発明は、画像処理システムに用いられ電子データ化されていない情報をＷｅｂページへ登録する際に利用する画像入力装置であって、前記電子データ化されていない情報を入力する画像入力手段と、前記画像入力手段で入力した画像情報から空白領域の配置位置情報とＷｅｂコンテンツのURL情報とを検出する情報検出手段と、前記情報検出手段で検出した空白領域の画像情報を領域分割する画像領域分割手段と、前記画像領域分割手段で分割した画像情報を前記情報検出手段で検出したＷｅｂコンテンツのURL情報先にあるＷｅｂサーバへ送信する送信手段とを有することを特徴とする。
【００２９】
請求項７記載の発明によれば、Ｗｅｂページ上に手書き画像を登録する空白領域を簡易に作成でき、印刷時にユーザが手書きしやすいようにレイアウトを変更して印刷する画像印刷機器を提供できるため、手書きした紙面をスキャナ等の画像入力装置で入力するだけで手書きコンテンツをＷｅｂページへ追加して公開することができる。
【００３０】
請求項８記載の発明は、画像処理システムに用いられ電子データ化されていない情報をＷｅｂページへ登録する際に利用するＷｅｂサーバであって、前記電子データ化されていない情報を表示するための空白領域を作成する空白領域作成手段と、前記空白領域作成手段で作成した空白領域のサイズを決定する空白領域サイズ決定手段と、前記空白領域サイズ決定手段で決定された空白領域情報とＷｅｂページの画像情報とを画像印刷装置へ送信する画像情報送信手段とを有することを特徴とする。
【００３１】
請求項８記載の発明によれば、画像処理システムに用いられＷｅｂページ上に手書き画像を登録する空白領域を簡易に作成でき、印刷時にユーザが手書きしやすいようにレイアウトを変更して印刷する画像印刷機器を提供できるため、手書きした紙面をスキャナ等の画像入力装置で入力するだけで手書きコンテンツをＷｅｂページへ追加して公開することができる。
【００３２】
請求項９記載の発明は、画像処理システムに用いられ電子データ化されていない情報をＷｅｂページへ登録する際に利用するＷｅｂサーバであって、画像入力装置から送信された画像情報を受信する受信手段と、前記受信手段で受信した画像情報をＷｅｂページ内にある空白領域へ表示するように登録する画像情報登録手段とを有することを特徴とする。
【００３３】
請求項９記載の発明によれば、Ｗｅｂページ上に手書き画像を登録する空白領域を簡易に作成でき、印刷時にユーザが手書きしやすいようにレイアウトを変更して印刷する画像印刷機器を提供できるため、手書きした紙面をスキャナ等の画像入力装置で入力するだけで手書きコンテンツをＷｅｂページへ追加して公開することができる。
【００３４】
請求項１０記載の発明は、請求項６に記載の発明において、配置位置変更手段は、ユーザが手書きするための空白領域を複数ページに渡って分割して印刷されないように空白領域のサイズ・配置位置を変更することを特徴とする。
【００３５】
請求項１０記載の発明によれば、ユーザが手書きするための空白領域を紙面１ページに印刷されるように空白領域のサイズ・配置位置を変更して印刷できるため、ユーザが手書きしやすい記入用紙を提供できる。
【００３６】
請求項１１記載の発明は、請求項８に記載の発明において、ユーザ情報を表示するユーザ情報表示手段を有し、前記ユーザ情報表示手段は空白領域にＷｅｂページを印刷したユーザ情報を表示することを特徴とする。
【００３７】
請求項１１記載の発明によれば、ユーザの手書き画像情報がＷｅｂページに登録されるまでＷｅｂページの空白領域に印刷したユーザ名を表示できるため、手書き画像情報を登録する予定のユーザ名情報をＷｅｂページの閲覧者へ通知できる。
【００３８】
請求項１２記載の発明は、請求項８に記載の発明において、ユーザ情報を設定するユーザ情報設定手段と、画像情報を登録する期日を設定する期日設定手段と、前記期日設定手段で設定した期日をユーザへ通知する期日通知手段とを有することを特徴とする。
【００３９】
請求項１２記載の発明によれば、手書き画像情報を登録するユーザへ期日情報を通知できるため、ユーザへ手書き画像情報を登録する作業を忘れることなく実行させることができる。
【００４０】
請求項１３記載の発明は、画像処理システムに用いられる画像印刷装置における登録した画像情報を表示するための空白領域を検出する空白領域検出ステップと、前記空白領域以外のＷｅｂコンテンツ領域を検出するＷｅｂコンテンツ領域検出ステップと、前記空白領域検出ステップとＷｅｂコンテンツ領域検出ステップで検出された各領域にある画像情報のサイズ・配置位置とを印刷状況によって変更する配置位置変更ステップと、前記配置位置変更手段で変更された空白領域の配置位置を検出して、前記配置位置変更ステップで変更された画像情報と共に空白領域の配置位置情報とＷｅｂコンテンツのURL情報とを印刷する印刷ステップとを有することを特徴とする。
【００４１】
請求項１３記載の発明によれば、Ｗｅｂページ上に手書き画像を登録する空白領域を簡易に作成でき、印刷時にユーザが手書きしやすいようにレイアウトを変更して印刷する画像印刷機器を提供できるため、手書きした紙面をスキャナ等の画像入力装置で入力するだけで手書きコンテンツをＷｅｂページへ追加して公開することができる。
【００４２】
請求項１４記載の発明は、画像処理システムに用いられる画像入力装置における電子データ化されていない情報を入力する画像入力ステップと、前記画像入力手段で入力した画像情報から空白領域の配置位置情報とＷｅｂコンテンツのURL情報とを検出する情報検出ステップと、前記情報検出手段で検出した空白領域の画像情報を領域分割する画像領域分割ステップと、前記画像領域分割手段で分割した画像情報を前記情報検出手段で検出したＷｅｂコンテンツのURL情報先にあるＷｅｂサーバへ送信する送信ステップとを有することを特徴とする。
【００４３】
請求項１４記載の発明によれば、Ｗｅｂページ上に手書き画像を登録する空白領域を簡易に作成でき、印刷時にユーザが手書きしやすいようにレイアウトを変更して印刷する画像印刷機器を提供できるため、手書きした紙面をスキャナ等の画像入力装置で入力するだけで手書きコンテンツをＷｅｂページへ追加して公開することができる。
【００４４】
請求項１５記載の発明は、画像処理システムに用いられるＷｅｂサーバ装置における電子データ化されていない情報を表示するための空白領域を作成する空白領域作成ステップと、前記空白領域作成手段で作成した空白領域のサイズを決定する空白領域サイズ決定ステップと、前記空白領域サイズ決定手段で決定された空白領域情報とＷｅｂページの画像情報とを画像印刷装置へ送信する画像情報送信ステップとを有することを特徴とする。
【００４５】
請求項１５記載の発明によれば、Ｗｅｂページ上に手書き画像を登録する空白領域を簡易に作成でき、印刷時にユーザが手書きしやすいようにレイアウトを変更して印刷する画像印刷機器を提供できるため、手書きした紙面をスキャナ等の画像入力装置で入力するだけで手書きコンテンツをＷｅｂページへ追加して公開することができる。
【００４６】
請求項１６記載の発明は、画像処理システムに用いられるＷｅｂサーバ装置における画像入力装置から送信された画像情報を受信する受信ステップと、前記受信手段で受信した画像情報をＷｅｂページ内にある空白領域へ表示するように登録する画像情報登録ステップとを有することを特徴とする。
【００４７】
請求項１６記載の発明によれば、Ｗｅｂページ上に手書き画像を登録する空白領域を簡易に作成でき、印刷時にユーザが手書きしやすいようにレイアウトを変更して印刷する画像印刷機器を提供できるため、手書きした紙面をスキャナ等の画像入力装置で入力するだけで手書きコンテンツをＷｅｂページへ追加して公開することができる。
【００４８】
請求項１７記載の発明は、画像処理システムに用いられ電子データ化されていない情報をＷｅｂページへ登録する処理をＷｅｂサーバ装置に実施させるプログラムであって、前記Ｗｅｂサーバ装置に、登録した画像情報を表示するための空白領域を検出する空白領域検出処理と、空白領域以外のＷｅｂコンテンツ領域を検出するＷｅｂコンテンツ領域検出処理と、前記空白領域検出処理と前記Ｗｅｂコンテンツ領域検出処理とで検出された各領域にある画像情報のサイズ・配置位置を印刷状況によって変更する配置位置変更処理と、前記配置位置変更処理で変更された空白領域の配置位置を検出して、前記配置位置変更処理で変更された画像情報と共に前記空白領域の配置位置情報と前記ＷｅｂコンテンツのURL情報とを印刷する印刷処理とを実施させることを特徴とする。
【００４９】
請求項１７記載の発明によれば、Ｗｅｂページ上に手書き画像を登録する空白領域を簡易に作成でき、印刷時にユーザが手書きしやすいようにレイアウトを変更して印刷する画像印刷機器を提供できるため、手書きした紙面をスキャナ等の画像入力装置で入力するだけで手書きコンテンツをＷｅｂページへ追加して公開することができる。
【００５０】
請求項１８記載の発明は、画像処理システムに用いられ電子データ化されていない情報をＷｅｂページへ登録する際に利用する処理をＷｅｂサーバ装置に実施させるプログラムであって、前記Ｗｅｂサーバ装置に、電子データ化されていない情報を入力する画像入力処理と、前記画像入力処理で入力した画像情報から空白領域の配置位置情報とＷｅｂコンテンツのURL情報とを検出する情報検出処理と、前記情報検出処理で検出した空白領域の画像情報を領域分割する画像領域分割処理と、前記画像領域分割処理で分割した画像情報を前記情報検出処理で検出したＷｅｂコンテンツのURL情報先にあるＷｅｂサーバへ送信する送信処理とを実施させることを特徴とする。
【００５１】
請求項１８記載の発明によれば、Ｗｅｂページ上に手書き画像を登録する空白領域を簡易に作成でき、印刷時にユーザが手書きしやすいようにレイアウトを変更して印刷する画像印刷機器を提供できるため、手書きした紙面をスキャナ等の画像入力装置で入力するだけで手書きコンテンツをＷｅｂページへ追加して公開することができる。
【００５２】
請求項１９記載の発明は、画像処理システムに用いられ電子データ化されていない情報をＷｅｂページへ登録する処理をＷｅｂサーバ装置に実施させるプログラムであって、前記Ｗｅｂサーバ装置に、電子データ化されていない情報を表示するための空白領域を作成する空白領域作成処理と、前記空白領域作成処理で作成した空白領域のサイズを決定する空白領域サイズ決定処理と、前記空白領域サイズ決定処理で決定された空白領域情報とＷｅｂページの画像情報とを画像印刷装置へ送信する画像情報送信処理とを実施させることを特徴とする。
【００５３】
請求項１９記載の発明によれば、Ｗｅｂページ上に手書き画像を登録する空白領域を簡易に作成でき、印刷時にユーザが手書きしやすいようにレイアウトを変更して印刷する画像印刷機器を提供できるため、手書きした紙面をスキャナ等の画像入力装置で入力するだけで手書きコンテンツをＷｅｂページへ追加して公開することができる。
【００５４】
請求項２０記載の発明は、画像処理システムに用いられ電子データ化されていない情報をＷｅｂページへ登録する処理をＷｅｂサーバ装置に実施させるプログラムであって、前記Ｗｅｂサーバに、画像入力装置から送信された画像情報を受信する受信処理と、前記受信処理で受信した画像情報をＷｅｂページ内にある空白領域へ表示するように登録する画像情報登録処理とを実施させることを特徴とする。
【００５５】
請求項２０記載の発明によれば、Ｗｅｂページ上に手書き画像を登録する空白領域を簡易に作成でき、印刷時にユーザが手書きしやすいようにレイアウトを変更して印刷する画像印刷機器を提供できるため、手書きした紙面をスキャナ等の画像入力装置で入力するだけで手書きコンテンツをＷｅｂページへ追加して公開することができる。
【００５６】
請求項２１記載の発明は、請求項１７に記載の発明において、配置位置変更処理は、ユーザが手書きするための空白領域を複数ページに渡って分割して印刷されないように空白領域のサイズ・配置位置を変更する処理であることを特徴とする。
【００５７】
請求項２１記載の発明によれば、Ｗｅｂページ上に手書き画像を登録する空白領域を簡易に作成でき、印刷時にユーザが手書きしやすいようにレイアウトを変更して印刷する画像印刷機器を提供できるため、手書きした紙面をスキャナ等の画像入力装置で入力するだけで手書きコンテンツをＷｅｂページへ追加して公開することができる。
【００５８】
請求項２２記載の発明は、請求項１９に記載の発明において、ユーザ情報を表示するユーザ情報表示処理を有し、前記ユーザ情報表示処理は空白領域にＷｅｂページを印刷したユーザ情報を表示する処理を有することを特徴とする。
【００５９】
請求項２２記載の発明によれば、Ｗｅｂページ上に手書き画像を登録する空白領域を簡易に作成でき、印刷時にユーザが手書きしやすいようにレイアウトを変更して印刷する画像印刷機器を提供できるため、手書きした紙面をスキャナ等の画像入力装置で入力するだけで手書きコンテンツをＷｅｂページへ追加して公開することができる。
【００６０】
請求項２３記載の発明は、請求項１９に記載の発明において、ユーザ情報を設定するユーザ情報設定処理と、画像情報を登録する期日を設定する期日設定処理と、前記期日設定処理で設定した期日をユーザへ通知する期日通知処理とを有することを特徴とする。
【００６１】
請求項２３記載の発明によれば、Ｗｅｂページ上に手書き画像を登録する空白領域を簡易に作成でき、印刷時にユーザが手書きしやすいようにレイアウトを変更して印刷する画像印刷機器を提供できるため、手書きした紙面をスキャナ等の画像入力装置で入力するだけで手書きコンテンツをＷｅｂページへ追加して公開することができる。
【００６２】
請求項２４記載の発明は、請求項１７から２３の何れか１項に記載のプログラムを記録した記録媒体であることを特徴とする。
【００６３】
請求項２４記載の発明によれば、Ｗｅｂページ上に手書き画像を登録する空白領域を簡易に作成でき、印刷時にユーザが手書きしやすいようにレイアウトを変更して印刷する画像印刷機器を提供できるため、手書きした紙面をスキャナ等の画像入力装置で入力するだけで手書きコンテンツをＷｅｂページへ追加して公開することができる。
【発明の効果】
【００６４】
本発明によれば、Ｗｅｂページ上に手書き画像を登録する空白領域を簡易に作成でき、印刷時にユーザが手書きしやすいようにレイアウトを変更して印刷できるので、手書きした紙面をスキャナ等の画像入力装置で入力するだけで手書きコンテンツをＷｅｂページへ追加して公開することができる画像印刷装置、画像入力装置、Ｗｅｂサーバ装置、画像印刷方法、画像入力方法、印刷情報送信方法、Ｗｅｂ登録方法、プログラム、記録媒体、及び画像処理システムを提供できる。
【発明を実施するための最良の形態】
【００６５】
〔実施の形態１〕
請求項１〜６、８〜１０、１３〜１５の発明に関する実施形態の一例を下記に示す。
実施の形態１における画像処理システムの全体構成図の一例を図１に示す。
本発明の画像処理システムは、画像印刷装置、画像入力装置、Ｗｅｂサーバ装置、及びクライアントPCがＷｅｂ等のネットワークを介して接続されている。
画像処理システム全体の処理手順概要の一例に関して以下に記載する。
始めにユーザはクライアントPCから手書き画像情報を登録表示したいＷｅｂページを開く。ユーザはＷｅｂページの編集を行い手書き画像情報を表示するための空白領域を作成する。
次にユーザは編集したＷｅｂページを画像印刷装置から印刷し、印刷した用紙の空白領域にＷｅｂページへ登録表示したい画像情報を手書きして、手書きした用紙を画像入力機器に入力させる。画像入力装置は入力した画像情報をＷｅｂサーバ装置へ送信し、Ｗｅｂサーバ装置はその画像情報をＷｅｂページの空白領域へ表示されるように登録する。以上が画像処理システム全体の処理手順の概要である。
【００６６】
上記の一例では印刷した用紙の空白領域に記載された手書き情報をＷｅｂに登録する例を記載したが、空白領域に写真やパンフレットの一部の画像情報を添付してＷｅｂに登録しても良い。
ここで、画像印刷装置はＷｅｂサーバ上に公開されたＷｅｂページを印刷する装置である。画像入力装置は手書きされた用紙の画像情報を入力する装置である。
図１では画像印刷装置と画像入力装置が別々の装置になっている例を記載したが、画像印刷装置と画像入力装置は一体型の装置であっても良い。
Ｗｅｂサーバ装置はHTML文書や画像情報などが保存されており、ネットワークを介してそれらの情報が取得可能になっている。クライアントPCはＷｅｂサーバから送信されたHTML文書をPC画面上に表示することでＷｅｂ上に公開されたＷｅｂページをユーザへ表示する。
【００６７】
図４、５にＷｅｂサーバ装置の機能図を示す。
図４に示したＷｅｂサーバ装置４１−１の空白領域作成手段４２はＷｅｂページ上に手書き画像情報を表示するための空白領域を作成する手段である。空白領域サイズ決定手段４３は空白領域作成手段４２で作成した空白領域のサイズを決定する手段である。４４は画像情報送信手段である。
図５に示したＷｅｂサーバ装置４１−２は、受信手段５０と画像情報登録手段５１とで構成されている。
【００６８】
図６〜１１にＷｅｂページ上に空白領域を作成する手順の一例を示す。
図６は空白領域が作成される前のＷｅｂページである。
Ｗｅｂページの編集処理はCGI言語（Perl言語, PHP言語等）を使ったWiki等のアプリケーションを利用することでＷｅｂブラウザから実行できる。
【００６９】
図７はＷｅｂページの編集画面の一例である。
ユーザは編集欄に文字入力を行うことでＷｅｂページの編集処理が実行できる。手書き画像を表示するための空白領域を作成する際には図８のように編集欄に#paper( )と文字入力を行って保存する。Ｗｅｂサーバ装置は編集欄に#paper( )の文字が入力された場合には図９のようにＷｅｂページ上に空白領域とサイズ決定ボタンを追加する。ユーザは空白領域のサイズ決定を行うため、空白領域の境界線をマウス等の画面指示装置でドラックして移動させる。空白領域を所望のサイズに移動させた後にサイズ決定ボタンを押すと空白領域のサイズが決定され、Ｗｅｂページの編集欄を参照すると図１１のように#paper( )内にサイズ情報#paper( width=800 height=400 )が保存される。
以上の手順によりＷｅｂページ上に空白領域が作成される。なお、マウスによる空白領域のサイズ決定処理はjavascript言語等を利用した動的なＷｅｂページで実行させても良い。
【００７０】
図４の画像情報送信手段４４はユーザからＷｅｂページの印刷指示があった場合に、画像印刷装置へＷｅｂページの画像情報と空白領域情報とURL情報とを送信する手段である。画像情報送信手段４４ではクライアントPCがＷｅｂサーバ装置から送られるＷｅｂページ情報からＷｅｂページの画像情報を作成して、その画像情報を画像印刷装置へ送信しても良い。
【００７１】
図５の受信手段５０は画像入力装置から送信される画像情報と空白領域情報を受信する手段である。
画像情報登録手段５１は空白領域情報を参照して空白領域に手書きされた画像情報がＷｅｂページへ表示されるように登録する手段である。画像情報の登録処理の一例では、Ｗｅｂサーバ装置が受信手段で受信した画像情報を登録するＷｅｂページと同一フォルダに保存し、画像情報のファイル名を参照して図１２のように空白領域を作成するときに文字入力した#paper( )内にファイル名#paper( image=fileName1.jpg width=800 height=400)を追加して保存する。
また画像情報にファイル名がない場合には任意のファイル名を画像情報に付ける。
以上よりＷｅｂサーバ装置４１−１によってＷｅｂページの空白領域と画像情報ファイルが自動的にリンク付けされ、画像情報の登録処理が終了する。
【００７２】
図２に画像印刷装置の機能図を示す。
図２の空白領域検出手段２２はＷｅｂページ上に作成された空白領域情報を検出する手段である。空白領域の検出処理はＷｅｂサーバ装置から送信される空白領域情報を受信しても良く、画像情報から空白領域を検出しても良い。
Ｗｅｂコンテンツ領域検出手段２３はＷｅｂページに表示される空白領域以外のＷｅｂコンテンツ領域を検出する手段である。Ｗｅｂコンテンツ領域検出手段２３はＷｅｂページを形成する各Ｗｅｂコンテンツを分割して、その領域を検出する。各コンテンツの分割処理の一例としては、Ｗｅｂページの編集画面の編集欄（図１２）を参照して、Ｗｅｂページの見出しを意味する「＊文字」を入力した部分を一つのＷｅｂコンテンツ領域として分割するように設定しても良い。尚、２４は配置位置変更手段、２５は印刷手段をそれぞれ示す。
【００７３】
この設定でＷｅｂページの領域検出をした結果の一例を図１３に示す。
図１３の波線ＬＢの領域が空白領域を示し、波線ＬＲの領域がＷｅｂコンテンツ領域を示す。配置位置変更手段は空白領域情報とＷｅｂコンテンツ領域情報とから印刷時のレイアウトを変更し、各領域のサイズ・配置位置を変更する手段である。Ｗｅｂページは紙文書のように一定の長さでページが区切られていないため、Ｗｅｂページを通常に印刷すると図１４のように空白領域が２ページに亘り分割されて印刷されることがある。
空白領域が分割されるとユーザは手書きを行うことが困難となる。配置位置変更手段２４では空白領域が２ページに亘り分割されないようにＷｅｂページのレイアウト変更を行う。
【００７４】
レイアウト処理されて印刷された紙面の一例を図１５に示す。紙面の左上にはＷｅｂページの全体レイアウト図が表示される。全体レイアウト図の波線ＬＲは通常に印刷した際に２ページに亘り分割される位置を示す。この波線ＬＲと空白領域とが交差する場合には空白領域と各Ｗｅｂコンテンツ領域との配置順番を図１５のように変更して、波線ＬＲと空白領域とが交差しないようにレイアウト変更を行う。レイアウト変更を行った場合には全体レイアウト図と各領域のコンテンツの位置とが対応するように線で結んで表示しても良い。また各領域の配置順番を変更しても交差する場合には、空白領域のサイズを図１５のように変更しても良い。
【００７５】
空白領域のサイズを変更した場合には手書きするユーザに縮尺が分かるように縮尺のサイズを表示する。
以上より空白領域の全体を1ページの用紙内に印刷できる。
【００７６】
印刷手段は配置位置変更手段でレイアウト変更された画像情報を印刷する手段である。画像情報を印刷する際にはＷｅｂページのURL情報を文字情報として図１５のように紙面上部に印刷しても良く、URL情報や空白領域情報をコード情報に変換してコード情報を紙面に印刷しても良い。
【００７７】
図３に画像入力装置３１能図を示す。
図３の画像入力手段３２は手書きされた用紙の画像情報を入力する手段である。
画像入力手段３２によってユーザが手書きした用紙の画像情報をデジタル化して画像入力装置に取り込む。情報検出手段３３は取り込んだ画像情報から空白領域（手書きされた領域）の配置位置情報とＷｅｂページのURL情報とを検出する手段である。
検出方法の一例としては図２の画像印刷装置２１の印刷手段２５によって印刷されたコード情報をデコードして、コード情報に保存されたURL情報と空白領域の配置位置情報とを検出できる。その他にも画像情報から空白領域の配置位置情報を検出しても良く、図１５のように紙面上部に記載されたURL情報を文字認識することで検出しても良い。
【００７８】
図３の画像領域分割手段３４は空白領域の配置位置情報を参照して用紙全体の画像情報から空白領域の画像情報のみを分割する手段である。空白領域の画像情報のみを分割することでユーザが手書きした画像情報のみを取得できる。送信手段３５は画像領域分割手段３４で分割した空白領域の画像情報をＷｅｂサーバ装置へ送信する手段である。
以上のＷｅｂサーバ装置、画像印刷装置、及び画像入力装置の機能を実行することで、Ｗｅｂページ上に手書き画像情報を表示する空白領域を簡易に作成でき、印刷時にユーザが手書きしやすいようにレイアウトを変更して印刷する画像印刷機器を提供できるので、手書きした紙面をスキャナ等の画像入力装置で入力するだけで手書きコンテンツをＷｅｂページへ追加して公開する画像処理システムを提供できる。
【００７９】
次に本発明を実現するためのフローチャート図の一例を図１６、１７に示す。
図１６、１７の例ではステップＳ１、Ｓ２、Ｓ１１、Ｓ１２はＷｅｂサーバ装置に、ステップＳ３〜Ｓ６は画像印刷装置に、ステップＳ９、Ｓ１０は画像入力装置に各ステップの処理を実行させているが、例えばステップＳ３〜Ｓ５の処理を画像印刷装置の代わりにＷｅｂサーバ装置に実行させるなど画像処理システムの構成に適応させて各ステップの処理はどの装置が担当しても良い。
ステップＳ１はＷｅｂサーバ装置に保存されたＷｅｂページの編集画面を開き、編集欄に文字情報#paper( )を入力して空白領域を作成する（図６、７）。
ステップＳ２はステップ１で作成した空白領域のサイズをマウス等で決定し、サイズ決定ボタンを押して空白領域のサイズを決定する（図６、７）。
ステップＳ３は印刷ページサイズに合わせてＷｅｂページを構成する空白領域と各Ｗｅｂコンテンツ領域の配置順番を変えてレイアウトを変更する（図１５）。
ステップＳ４は印刷ページサイズに合わせて空白領域のサイズを拡大縮小してレイアウトを変更する（図１５）。
ステップＳ５はＷｅｂページのURL情報と空白領域の配置位置情報をコード化したコード情報を作成する（図１５）。
ステップＳ６はステップＳ３、４でレイアウト変更したＷｅｂページの画像情報にステップＳ５で作成したコード情報を付加した画像情報を紙に印刷する（図１６、１７）。
ステップＳ７はユーザが印刷した紙の空白領域にＷｅｂページへ登録表示したい画像情報を手書きする。
ステップＳ８はステップＳ７で手書きした紙を画像入力機器に入力させる。
ステップＳ９はステップＳ８で入力した紙の画像情報を取得し、コード情報から空白領域の配置位置情報とURL情報を検出する。
ステップＳ１０はステップＳ９で検出した空白領域の配置位置情報から空白領域の画像情報を抽出し、URL情報先のＷｅｂサーバ装置へ抽出した画像情報を送信する。
ステップＳ１１はステップＳ１０で送信された画像情報を受信して、Ｗｅｂページと同一のフォルダに保存する。
ステップＳ１２はＷｅｂページを編集してＷｅｂページと画像情報をリンク付けて画像情報をＷｅｂ上へ公開する（図１２）。
以上のステップＳ１〜Ｓ１２を処理することで、手書きした紙面をスキャナ等の画像入力装置で入力するだけで手書きコンテンツをＷｅｂページへ追加して公開する画像処理システムを提供できる。
【００８０】
本発明の利用形態では、ユーザが手書き用の用紙を複数枚印刷して、印刷した手書き用の用紙を他の複数ユーザへ配布して利用しても良い。これより、他の複数ユーザは手書き用の用紙の空白領域に手書きを行って画像入力装置に入力するだけで、手書きした画像情報をＷｅｂ上へ登録することができる。
複数ユーザが複数の手書き画像情報をＷｅｂへ登録した場合には、手書き情報を縮小してサムネイル画像を作成し、空白領域にサムネイル画像を並べて表示する。またサムネイル画像をマウス等で選択すると、選択されたサムネイル画像は空白領域全体に拡大表示される。
【００８１】
〔実施の形態２〕
請求項６、１１の発明に関する実施形態の一例を下記に示す。
実施の形態２では、ユーザの手書き画像情報がＷｅｂページに登録されるまでＷｅｂページの空白領域に印刷したユーザ名情報を表示することで、手書き画像情報を登録する予定のユーザ名情報をＷｅｂページの閲覧者へ通知するＷｅｂサーバ装置の一例を示す。
実施の形態２における画像処理システムの全体図、画像印刷装置、画像入力装置は実施の形態１と同様である。
実施の形態２におけるＷｅｂサーバ装置の機能図を図１８に示す。
図１８の空白領域作成手段・空白領域サイズ決定手段・画像情報送信手段は実施の形態１と同様である。図１８のユーザ情報表示手段は画像印刷装置へ印刷指示を行ってＷｅｂページを印刷したユーザのユーザ情報をＷｅｂページの空白領域に表示する手段である。
ユーザ情報表示手段ではユーザが印刷指示した際にユーザが使用しているクライアントPCからユーザ名情報を取得し、図１９に示すＷｅｂページ編集画面のように空白領域を作成する文字列#paper( )内にユーザ名情報#paper( username = Tanaka Taro )を保存する。Ｗｅｂサーバ装置はユーザ名情報を参照して図２０のようにＷｅｂページの空白領域内にユーザ名情報を表示する。空白領域に表示する情報はユーザ名以外にも印刷した際の日時情報や印刷場所情報などを表示しても良い。
【００８２】
次に実施の形態２を実現するためのフローチャート図を図２１、２２に示す。
ステップＳ１〜Ｓ６の処理は実施の形態１と同様である。
ステップＳ７はユーザが印刷指示を実行したクライアントPCからユーザ名情報を取得する。
ステップＳ８はＷｅｂページの空白領域内にステップ７で取得したユーザ名情報を表示する。
ステップ９Ｓ〜Ｓ１４の処理は実施の形態１におけるステップＳ７〜Ｓ１２の処理と同様である。
以上の処理を実行することで、手書き画像情報を登録する予定のユーザ名情報をＷｅｂページの閲覧者へ通知するＷｅｂサーバ装置を提供できる。
【００８３】
〔実施の形態３〕
下記に請求項７、１２の発明に関する実施形態の一例を下記に示す。
実施の形態３では、手書き画像情報をＷｅｂページへ登録する期日を設定し、その期日情報をメール等で通知することで、ユーザへ手書き画像情報を登録する作業を忘れることなく実行させるＷｅｂサーバ装置の一例を示す。
実施の形態３における画像処理システムの全体図、画像印刷装置、画像入力装置は実施の形態１と同様である。
実施の形態３におけるＷｅｂサーバ装置の機能図を図２５に示す。
図２３の空白領域作成手段・空白領域サイズ決定手段・画像情報送信手段は実施の形態１と同様である。図２３のユーザ情報設定手段はＷｅｂページの空白領域に手書き画像情報を登録するユーザ情報を設定する手段である。期日設定手段は手書き画像をＷｅｂページに登録する期日を設定する手段である。ユーザ情報と期日情報を設定するユーザはＷｅｂページの編集画面を開き、図２４のように空白領域を作成する文字列#paper( )内にユーザ情報と期日情報を#paper(username = Tanaka Taro, deadline = 2006/05/26 )入力して保存する。
以上でユーザ情報と期日情報の設定処理が終了する。
図２５のように設定処理の終了後にＷｅｂページの空白領域へ設定したユーザ情報と期日情報とを表示しても良い。
図２３の期日通知手段２５はユーザ情報設定手段２５４で設定されたユーザへ期日設定手段２５５で設定された期日情報を通知する手段である。期日通知手段２５６では設定された期日情報の期日までにＷｅｂページの空白領域に手書き画像情報が登録されていない場合にも、電子メール等の通信手段を利用して設定されたユーザへ手書き画像情報の登録処理を促す情報を通知しても良い。２５１は、空白領域作成手段、２５２は、空白領域サイズ指定手段、２５３は、画像情報送信手段をそれぞれ示す。
【００８４】
次に実施の形態３を実現するためのフローチャート図を図２６、２７に示す。
ステップＳ１、Ｓ２の処理は実施の形態１と同様である。
ステップＳ３はＷｅｂページの編集画面にてＷｅｂページの空白領域へ手書き画像を登録するユーザ情報と期日情報を設定する。
ステップＳ４はＷｅｂサーバ装置からステップＳ３で設定されたユーザへ期日情報を電子メール等の通信手段を利用して通知する。
ステップＳ５〜Ｓ１４の処理は実施の形態１におけるステップＳ３〜Ｓ１２の処理と同様である。
以上の処理を実行することで、ユーザへ登録期日を通知することにより、ユーザへ手書き画像情報を登録する作業を忘れることなく実行させるＷｅｂサーバ装置４１−４を提供できる。
【００８５】
〔実施の形態４〕
本発明に係る画像印刷装置、画像入力装置、Ｗｅｂサーバ装置は、装置内に保存された実施の形態１〜３で説明した機能を実現する処理プログラムを実行させるだけではなく、記録媒体に格納した記録媒体を読み取らせることにより、その機能を実現させることができる。例えば、図２８に示されるように、上記プログラムを格納したCD-ROMもしくはDVD-ROMを画像印刷装置、画像入力装置、Ｗｅｂサーバ装置に装着し、適宜該プログラムを実行させることにより、その機能を実現させることができる。
また、図２９に示されるように、画像印刷装置・画像入力装置・Ｗｅｂサーバ装置に該プログラムを格納した記録媒体を取り付けて、適宜該プログラムを実行させることにより、その機能を実現させることもできる。なお、そのプログラムを格納する記録媒体は上記に限られず、例えばHDDや半導体メモリ等の別の記録媒体であっても良い。
【００８６】
なお、上述した実施の形態は、本発明の好適な実施の形態の一例を示すものであり、本発明はそれに限定されることなく、その要旨を逸脱しない範囲内において、種々変形実施が可能である。
【００８７】
〔作用効果〕
Ｗｅｂページ上に手書き画像を登録する空白領域を簡易に作成でき、印刷時にユーザが手書きしやすいようにレイアウトを変更して印刷する画像印刷機器を提供できるため、手書きした紙面をスキャナ等の画像入力装置で入力するだけで手書きコンテンツをＷｅｂページへ追加して公開することができる。
【００８８】
ユーザが手書きするための空白領域を紙面１ページに印刷されるように空白領域のサイズ・配置位置を変更して印刷できるため、ユーザが手書きしやすい記入用紙を提供できる。
【００８９】
ユーザの手書き画像情報がＷｅｂページに登録されるまでＷｅｂページの空白領域に印刷したユーザ名を表示できるため、手書き画像情報を登録する予定のユーザ名情報をＷｅｂページの閲覧者へ通知できる。
【００９０】
手書き画像情報を登録するユーザへ期日情報を通知できるため、ユーザへ手書き画像情報を登録する作業を忘れることなく実行させることができる。
【００９１】
Ｗｅｂページ上に手書き画像を貼り付ける空白領域を簡易に作成でき、印刷時にユーザが手書きしやすいようにレイアウトを変更して印刷する画像印刷機器を提供することができ、手書きした紙面をスキャナ等の画像入力装置で入力するだけで手書きコンテンツをＷｅｂページへ追加して公開する画像処理機器を提供することができる。
【００９２】
ユーザが手書きするための空白領域を紙面１ページに印刷されるように空白領域のサイズ・配置位置を変更することで、ユーザが手書きしやすい記入用紙を提供することができる。
【００９３】
ユーザの手書き画像情報がＷｅｂページに登録されるまでＷｅｂページの空白領域に印刷したユーザ名を表示することで、手書き画像情報を登録する予定のユーザ名情報をＷｅｂページの閲覧者へ通知することができる。
【００９４】
手書き画像情報をＷｅｂページへ登録する期限を設定し、その期限情報をメール等で通知することで、ユーザへ手書き画像情報を登録する作業を忘れることなく実行させることができる。
【産業上の利用可能性】
【００９５】
本発明は、Ｗｅｂページのコンテンツ作成システム、ワークフローシステム、アイデア発想支援システム、会議支援システム、及びアンケート調査システムに理容できる。
【図面の簡単な説明】
【００９６】
【図１】本発明にかかる画像処理システムの全体構成図の一例である。
【図２】本発明にかかる画像印刷装置の機能図の一例である。
【図３】本発明にかかる画像入力装置の機能図の一例である。
【図４】本発明にかかるＷｅｂサーバ装置の機能図の一例である。
【図５】本発明にかかるＷｅｂサーバ装置の機能図の一例である。
【図６】空白領域の作成手順の一部である。
【図７】空白領域の作成手順の一部である。
【図８】空白領域の作成手順の一部である。
【図９】空白領域の作成手順の一部である。
【図１０】空白領域の作成手順の一部である。
【図１１】空白領域の作成手順の一部である。
【図１２】画像情報の登録手順の一例である。
【図１３】領域情報の検出結果の一例である。
【図１４】空白領域が分割されて印刷された紙面の一例である。
【図１５】レイアウト処理されて印刷された紙面の一例である。
【図１６】画像処理方法のフローチャート図の一部である。
【図１７】画像処理方法のフローチャート図の一部である。
【図１８】画像処理装置の機能図の一例である。
【図１９】ユーザ情報が表示されたＷｅｂページの一例である。
【図２０】ユーザ情報が表示されたＷｅｂページの一例である。
【図２１】画像処理方法のフローチャートの一部である。
【図２２】画像処理方法のフローチャートの一部である。
【図２３】画像処理装置の機能図の一例である。
【図２４】ユーザ情報が表示されたＷｅｂページの一例である。
【図２５】ユーザ情報が表示されたＷｅｂページの一例である。
【図２６】画像処理方法のフローチャート図の一部である。
【図２７】画像処理方法のフローチャート図の一部である。
【図２８】画像処理プログラムの記録媒体の一例である。
【図２９】画像処理プログラムの記録媒体の一例である。
【符号の説明】
【００９７】
２１    画像印刷装置
２２    空白領域検出手段
２３    Ｗｅｂコンテンツ領域検出手段
２４    配置位置変更手段
２５    印刷手段
３１    画像入力装置
４１−１、４１−２、４１−３    Ｗｅｂサーバ装置
４２、２０１、２５１    空白領域作成手段
４３、２０２、２５２    空白領域サイズ指定手段
４４、２０３、２５３    画像情報送信手段
５０    受信手段
５１    画像情報登録手段
２０４    ユーザ情報表示手段
２５４    ユーザ情報設定手段
２５５    期日設定手段
２５６    期日通知手段
【図１】
2008099202.tif 000003
【図２】
2008099202.tif 000004
【図３】
2008099202.tif 000005
【図４】
2008099202.tif 000006
【図５】
2008099202.tif 000007
【図６】
2008099202.tif 000008
【図７】
2008099202.tif 000009
【図８】
2008099202.tif 000010
【図９】
2008099202.tif 000011
【図１０】
2008099202.tif 000012
【図１１】
2008099202.tif 000013
【図１２】
2008099202.tif 000014
【図１３】
2008099202.tif 000015
【図１４】
2008099202.tif 000016
【図１５】
2008099202.tif 000017
【図１６】
2008099202.tif 000018
【図１７】
2008099202.tif 000019
【図１８】
2008099202.tif 000020
【図１９】
2008099202.tif 000021
【図２０】
2008099202.tif 000022
【図２１】
2008099202.tif 000023
【図２２】
2008099202.tif 000024
【図２３】
2008099202.tif 000025
【図２４】
2008099202.tif 000026
【図２５】
2008099202.tif 000027
【図２６】
2008099202.tif 000028
【図２７】
2008099202.tif 000029
【図２８】
2008099202.tif 000030
【図２９】
2008099202.tif 000031